【手続補正書】
【提出日】平成20年5月20日(2008.5.20)
【手続補正１】
【補正対象書類名】特許請求の範囲
【補正対象項目名】全文
【補正方法】変更
【補正の内容】
【特許請求の範囲】
【請求項１】
患者の連続受動的監視をサポートするためにベッド内にパッシブ・センサを内蔵するためのシステムであって、
患者を監視するためのパッシブ・センサと、
マットレス芯と、
前記マットレス芯を囲むように構成されているベッドカバーとを備え、
前記センサが前記ベッドカバーに取り付けられるシステム。
【請求項２】
前記ベッドカバーが、その間に前記センサを保持するために一緒に密封されている材料の２つの層を含む請求項１に記載のシステム。
【請求項３】
前記センサが、接着層により前記ベッドカバーの表面に取り付けられる請求項１に記載のシステム。
【請求項４】
前記センサが、両面接着フィルムにより前記ベッドカバーの表面に取り付けられる請求項１に記載のシステム。
【請求項５】
前記センサが、無線周波溶接、超音波溶接およびヒート・シールからなるグループから選択した接着方法により前記ベッドカバーの表面に取り付けられる請求項１に記載のシステム。
【請求項６】
前記センサが、縫い付け、面ファスナー、および高摩擦からなるグループから選択した取付方法により前記ベッドカバーの表面に取り付けられる請求項１に記載のシステム。
【請求項７】
前記センサが、保護層と前記ベッドカバーの表面の間の前記ベッドカバーに取り付けられ、前記保護層が前記ベッドカバーに取り付けられる請求項１に記載のシステム。
【請求項８】
前記保護層が、前記センサを封入するエンベロープを形成し、前記センサを選択的に挿入および取り外すことができる請求項７に記載のシステム。
【請求項９】
前記センサが、少なくとも２つのストラップに接続し、前記ストラップが、前記センサを正しい位置に保持するために前記マットレス芯の全周囲を延びるように構成され、前記少なくとも２つのストラップのいずれかが、バックル、面ファスナーのグループから選択したコネクタと接続しているセグメントとして形成される請求項１に記載のシステム。
【請求項１０】
前記ベッドカバーが、縦方向のある寸法および横方向のある寸法を有し、少なくとも１つのストラップが、前記ベッドカバーの全周囲を横方向に延びる連続帯である請求項９に記載のシステム。
【請求項１１】
前記ベッドカバーが、複数のコーナーを有し、少なくとも２つのストラップが、前記センサから延び、前記ベッドカバーの隣接するコーナーと係合する請求項９に記載のシステム。
【請求項１２】
前記ベッドカバーが、前記芯を挿入するための開口部を形成し、前記ベッドカバーが、前記開口部を密封するように構成されているジッパーを含み、それにより前記ベッドカバーが、前記開口部が密封された場合に前記芯を囲んでいる請求項１に記載のシステム。
【請求項１３】
前記ジッパーが、前記ベッドカバーが前記芯を囲んだ場合に、前記マットレスの高さの中線にほぼ沿って延びるように、前記ベッドカバーに対して位置する請求項１２に記載のシ
ステム。
【請求項１４】
前記ジッパーが、前記ベッドカバーが前記芯を囲んだ場合に、前記芯の縁部にほぼ沿って延びるように、前記ベッドカバーに対して位置する請求項１２に記載のシステム。
【請求項１５】
前記パッシブ・センサが圧力感知素子のアレイを含む請求項１に記載のシステム。
【請求項１６】
前記圧力感知素子が、圧電センサを含む請求項１５に記載のシステム。
【請求項１７】
前記圧力感知素子が、それぞれ２つの対向表面を有し、各表面がフォーム・パッド材料で保護される請求項１５に記載のシステム。
【請求項１８】
前記圧力感知素子が、キャリア・シート上に配置され、前記キャリア・シートが前記ベッドカバーに取り付けられる請求項１５に記載のシステム。
【請求項１９】
患者の連続受動的監視をサポートするためにベッド内にパッシブ・センサを内蔵するためのシステムであって、
患者を監視するためのパッシブ・センサと、
マットレス芯と、
前記マットレス芯を囲んでいるベッドカバーと、
前記マットレス芯と前記ベッドカバーの間に位置する下層とを備え、
前記センサが前記下層に取り付けられるシステム。
【請求項２０】
前記下層が、その間に前記センサ・アレイを保持するために一緒に密封されている材料の２つの層を含む請求項１９に記載のシステム。
【請求項２１】
前記センサが、接着剤により前記下層の表面に取り付けられる請求項１９に記載のシステム。
【請求項２２】
前記センサが、無線周波溶接、超音波溶接およびヒート・シールからなるグループから選択した接着方法により前記下層の表面に取り付けられる請求項１９に記載のシステム。
【請求項２３】
前記センサが、縫い付け、面ファスナー、および高摩擦からなるグループから選択した取付方法により前記下層の表面に取り付けられる請求項１９に記載のシステム。
【請求項２４】
患者の連続受動的監視をサポートするためにベッド内にパッシブ・センサを内蔵するためのシステムであって、
患者を監視するためのパッシブ・センサと、
マットレス芯とを備え、
前記センサが前記芯内に埋め込まれるシステム。
【請求項２５】
前記芯が、第１の層および第２の層を含み、各層が前記芯のほぼ全長を延び、前記センサが前記第１の層と前記第２の層の間に位置する請求項２４に記載のシステム。
【請求項２６】
ポケットが、前記芯の一部内に形成され、前記センサが前記ポケット内に位置していて、前記ポケットを閉じる芯材料の層によりカバーされる請求項２４に記載のシステム。
【請求項２７】
前記センサが、永久アンカーにより前記芯の表面に取り付けられる請求項２４に記載のシステム。
【請求項２８】
前記センサが、取り外し可能なアンカーにより前記芯の表面に取り付けられる請求項２４に記載のシステム。
【請求項２９】
マットレス組立体にパッシブ・センサを固定するためのシステムであって、前記マットレス組立体が、芯および前記芯を囲んでいるベッドカバーを含み、前記システムが、
開口部を有するハウジングと、
前記開口部を密封するように構成されている取り外し可能な蓋であって、前記蓋およびハウジングが、前記蓋が前記開口部を密封した場合に一緒に空間を形成する蓋と、
前記空間内に位置する回路基板と、
前記回路基板からプロセッサに接続するために延びる第１のケーブルと、
前記回路基板から前記センサに接続するために延びる第２のケーブルとを備え、
前記蓋とハウジングが、前記蓋が前記開口部を密封した場合に、前記ベッドカバーの一部を捕捉するように構成されていて、それにより前記ハウジングを前記ベッドカバーに対して固定位置に保持するシステム。
【請求項３０】
前記ハウジングおよび蓋が、相互にスナップ・フィットにより接続するように構成される請求項２９に記載のシステム。
【請求項３１】
患者の連続受動的監視をサポートするためにマットレスに接続するためのパッシブ・センサ・システムであって、
患者を監視するためのパッシブ・センサと、
前記マットレスをほぼ囲むように構成されているベッドカバーとを備え、
前記センサが前記ベッドカバーに取り付けられるシステム。
【請求項３２】
前記センサが、接着剤により前記ベッドカバーの表面に取り付けられる請求項３１に記載のシステム。
【請求項３３】
前記センサが、無線周波溶接、超音波溶接およびヒート・シールからなるグループから選択した接着方法により前記ベッドカバーの表面に取り付けられる請求項３１に記載のシステム。
【請求項３４】
前記センサが、縫い付け、面ファスナー、および高摩擦からなるグループから選択した取付方法により前記ベッドカバーの表面に取り付けられる請求項３１に記載のシステム。
【請求項３５】
前記ベッドカバーが、その間に前記センサを保持するために一緒に密封されている材料の２つの層を含む請求項３１に記載のシステム。
【請求項３６】
前記センサが、保護層と前記ベッドカバーの表面の間の前記ベッドカバーに取り付けられ、前記保護層が前記ベッドカバーに取り付けられる請求項３１に記載のシステム。
【請求項３７】
前記ベッドカバーが、前記マットレスを挿入するための開口部を形成し、前記ベッドカバーが、前記開口部を密封するように構成されているジッパーを含み、それにより前記ベッドカバーが、前記開口部が密封された場合に前記マットレスを囲んでいる請求項３１に記載のシステム。
【請求項３８】
前記ベッドカバーが、前記マットレスを挿入するための開口部を形成するように構成され、縁が前記開口部を囲んでいて、前記縁が、ゴムバンドが収縮することができる場合、前記開口部の大きさを小さくするように構成されているゴムバンドを含む請求項３１に記載のシステム。
【請求項３９】
前記ベッドカバーが、前記マットレスを挿入するための開口部を形成するように構成され、縁が前記開口部を囲んでいて、前記縁が、糸に張力がかかった場合、前記開口部の大きさを小さくするように構成されているある長さの糸を含む請求項３１に記載のシステム。
【請求項４０】
前記ベッドカバーが、前記マットレスを挿入するための開口部を形成するように構成され、ストラップが前記開口部を横切って延びるように配置され、前記ストラップが、前記ストラップに張力がかかった場合、前記開口部の大きさを小さくするように構成される請求項３１に記載のシステム。
【請求項４１】
患者の連続受動的監視をサポートするためにマットレスに接続するためのパッシブ・センサ・システムであって、
患者を監視するためのパッシブ・センサと、
前記マットレスに取り付けるために前記センサの表面に取り付けられている接着層とを備えるパッシブ・センサ・システム。
【請求項４２】
前記センサ・システムが、圧力感知素子のアレイを含む請求項４１に記載のパッシブ・センサ・システム。
【請求項４３】
前記圧力感知素子が圧電センサを含む請求項４２に記載のパッシブ・センサ・システム。
【請求項４４】
前記圧力感知素子が、それぞれ２つの対向表面を有し、各表面がフォーム・パッド材料で保護される請求項４２に記載のパッシブ・センサ・システム。
【請求項４５】
前記パッシブ・センサが、前記圧力感知素子が取り付けられるキャリア・シートを含み、前記接着層が前記キャリア・シートに取り付けられる請求項４２に記載のパッシブ・センサ・システム。
【請求項４６】
前記接着層が、取り外し可能な保護層を有する両面接着フィルムである請求項４１に記載のパッシブ・センサ・システム。
【請求項４７】
前記パッシブ・センサが、前記ベッドカバーに取り付けられたキャリア・シート上に配置されたセンサ・アレイを含む請求項１に記載のシステム。
【請求項４８】
前記センサ・アレイが、接着剤によりキャリア・シートの表面に取り付けられる請求項４７に記載のシステム。
【請求項４９】
前記センサ・アレイが、圧電感知素子と、圧力スイッチとを含む請求項４７に記載のシステム。
【請求項５０】
前記キャリア・シートが、ウレタン材料から形成される請求項４７に記載のシステム。
【請求項５１】
前記キャリア・シートが、前記ベッドカバーの内表面に取り付けられ、それによって前記ベッドカバーが前記マットレス芯を囲んだ場合に前記キャリア・シートが前記ベッドカバーと前記マットレス芯との間に配置される請求項４７に記載のシステム。
【請求項５２】
前記キャリア・シートが、溶接により前記ベッドカバーに取り付けられる請求項４７に記載のシステム。
【請求項５３】
前記センサ・アレイ内のセンサが、偏向されたポリマー・フィルムから形成される請求項４７に記載のシステム。
【請求項５４】
前記ベッドカバーが、２つの半分の部分と、前記マットレス芯の周囲で前記２つの半分の部分が合体するように構成されたジッパーとを含む請求項１に記載のシステム。
【請求項５５】
前記パッシブ・センサが、前記ベッドカバーに取り付けられたキャリア・シート上に配置されたセンサ・アレイを含む請求項３１に記載のシステム。
【請求項５６】
前記センサ・アレイが、接着剤により前記キャリア・シートの表面に取り付けられる請求項５５に記載のシステム。
【請求項５７】
前記センサ・アレイが、圧電感知素子と、圧力スイッチとを含む請求項５５に記載のシステム。
【請求項５８】
前記キャリア・シートが、ウレタン材料から形成される請求項５５に記載のシステム。
【請求項５９】
前記キャリア・シートが、前記ベッドカバーの内表面に取り付けられる請求項５５に記載のシステム。
【請求項６０】
前記キャリア・シートが、溶接により前記ベッドカバーに取り付けられる請求項５５に記載のシステム。
【請求項６１】
前記センサ・アレイ内のセンサが、偏向されたポリマー・フィルムから形成される請求項５５に記載のシステム。
【請求項６２】
前記ベッドカバーが、２つの半分の部分と、前記２つの半分の部分が合体するように構成されたジッパーとを含む請求項３１に記載のシステム。
【請求項６３】
前記蓋およびハウジングが、前記マットレスの一端に沿って前記ベッドカバーの一部を捕捉するように構成された請求項２９に記載のシステム。